(57)【特許請求の範囲】
【請求項１】
遊技球が流下する遊技領域を有する遊技盤を備えた遊技機本体と、
前記遊技領域へ遊技球を打ち出す発射装置と、
前記遊技機本体の前面に設けられ、操作部を回動可能に支持する操作部受部が組み付けられた本体部および当該本体部の外周に沿うようにして回動可能に取り付けられた操作部を備え、遊技者による前記操作部の回動操作に応じて前記発射装置の発射強度を調節する発射操作手段と、
前記操作部と前記本体部との間に設けられ、当該操作部および前記本体部のうち少なくとも何れか一方に着脱可能に設けられ、前記操作部の回動操作時に前記一方に対する他方と摺接する球状部材とを有し、
前記本体部は、前記球状部材を介して前記操作部を回動可能に支持する、
ことを特徴とする遊技機。
【請求項２】
前記球状部材は、前記操作部と前記本体部との間において相互に間隔を空けて等間隔で複数設けられて、前記操作部の回動軸の外周となる第１の周上および当該第１の周上の外周となる第２の周上にそれぞれ摺接する、
ことを特徴とする請求項１記載の遊技機。
【請求項３】
前記操作部の裏面の所定位置に形成された操作部側凹部空間と、
前記本体部における前記操作部の内周に臨む位置に形成された本体部側凹部空間とを有し、
前記操作部側凹部空間と前記本体部側凹部空間とが相互に対向する位置となったときに遊技球がこれらの凹部空間に跨って収容固定可能となり、
前記球状部材が前記本体部と前記操作部との間に介在することにより、前記本体部と前記操作部との間に隙間が形成される、
ことを特徴とする請求項１または２記載の遊技機。
【発明の詳細な説明】
【技術分野】
【０００１】
本発明は遊技機に関し、特に、遊技機に設けられた発射操作手段の操作性向上に関するものである。
【背景技術】
【０００２】
パチンコ機（遊技機）においては、発射操作手段に設けられた操作レバー（操作部）を回動操作することにより、遊技球を発射する発射装置の発射強度を所望の強さに調節している。
【０００３】
すなわち、パチンコ機では、操作レバーの回動角に比例して発射装置の発射強度が強くなるようになっているため、遊技者は操作レバーを回動して所望の強さの発射強度に調整できたならば、その回動角で操作レバーを保持した状態で遊技を行う。
【０００４】
したがって、遊技者の手には操作レバーを保持するための負荷がかかるため、遊技の継続に伴って手の疲労が蓄積することになる。
【０００５】
そこで、手の疲労の蓄積を軽減するために、特許文献１の遊技機では、操作レバーを、外周部に指掛用突起が一体に成形された略半環状の上部成形体と略半環状の下部成形体とを組み合わせることにより環状に形成している。また、上部成形体をプラスチック成形するに際しては、上下方向に型抜きすることにより指掛用突起をグリップ部の外周面に沿って隙間無く延出する形状にしている。
【０００６】
特許文献１の技術によれば、遊技者の手になじみ易く、且つ操作性に優れた操作レバーを提供することができるので、当該遊技者の手の疲労の蓄積を軽減することができる。
【特許文献１】特開２００６−２４７０５３号公報
【発明の開示】
【発明が解決しようとする課題】
【０００７】
しかしながら、上記特許文献１に記載の技術は、指掛用突起が手指になじみ易く形成されているため操作レバーを把持し易くなっているものの、操作レバーを手指になじませるための改善しか考慮されておらず、操作レバーの回動操作の円滑化に関する技術については何ら考慮されていない。したがって、発射操作手段の操作性を改善する余地が未だにある。
【０００８】
そこで、本発明は、操作部の回動操作の円滑化を図ることで、発射操作手段の操作性を高めることが可能な遊技機を提供することを目的とする。
【課題を解決するための手段】
【０００９】
上記課題を解決するため、請求項１に記載の本発明の遊技機は、遊技球（遊技球Ｂ）が流下する遊技領域（遊技領域２ａ）を有する遊技盤（遊技盤２）を備えた遊技機本体（遊技機本体３）と、前記遊技領域へ遊技球を打ち出す発射装置と、前記遊技機本体の前面に設けられ、操作部を回動可能に支持する操作部受部（操作部受部７０ｅ，１００ｅ）が組み付けられた本体部（本体部７０ａ）および当該本体部の外周に沿うようにして回動可能に取り付けられた操作部（操作部７０ｂ）を備え、遊技者による前記操作部の回動操作に応じて前記発射装置の発射強度を調節する発射操作手段（ハンドル７０）と、前記操作部と前記本体部との間に設けられ、当該操作部および前記本体部のうち少なくとも何れか一方に着脱可能に設けられ、前記操作部の回動操作時に前記一方に対する他方と摺接する球状部材（球状部材９０，９１）とを有し、前記本体部は、前記球状部材を介して前記操作部を回動可能に支持する、ことを特徴とする。
【００１０】
本構成における操作部は、球状部材を介して本体部に支持されるようになっているので、当該操作部を操作部受部にて直に支持する従来の技術に比べて、操作部が他の部材に接触する面積を小さくすることができる。
【００１１】
この場合、操作部が回動する際に発生する静止摩擦を小さくすることができるので、当該操作部の回動操作をより円滑にすることが可能となる。
【００１２】
上述した本発明によれば、操作部の回動操作の円滑化を図ることができ、発射操作手段の操作性を高めることが可能となる。
【００１３】
また、操作部が球状部材を介して本体部に回動可能に支持される本発明によれば、操作部が角ばっている部材を介して操作部受部に支持される場合に比べて、操作部の回動操作を円滑にすることができる。
【００１４】
請求項２に記載の本発明は、請求項１記載の発明の構成に加えて、前記球状部材は、前記操作部と前記本体部との間において相互に間隔を空けて等間隔で複数設けられて、前記操作部の回動軸の外周となる第１の周上および当該第１の周上の外周となる第２の周上にそれぞれ摺接する、ことを特徴とする。
【００１６】
請求項３に記載の本発明は、請求項１または２記載の発明の構成に加えて、前記操作部の裏面の所定位置に形成された操作部側凹部空間と、前記本体部における前記操作部の内周に臨む位置に形成された本体部側凹部空間とを有し、前記操作部側凹部空間と前記本体部側凹部空間とが相互に対向する位置となったときに遊技球がこれらの凹部空間に跨って収容固定可能となり、前記球状部材が前記本体部と前記操作部との間に介在することにより、前記本体部と前記操作部との間に隙間が形成される、ことを特徴とする。
【発明の効果】
【００２４】
本発明によれば以下の効果を奏することができる。
【００２５】
すなわち、本発明によれば、操作部の回動操作の円滑化を図ることができ、発射操作手段の操作性を高めることが可能になる。
【発明を実施するための最良の形態】
【００２６】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２７】
図１は本発明の一実施の形態である遊技機を示す正面図、図２は本発明の一実施の形態である遊技機を示す斜視図、図３は本発明の一実施の形態である下皿部を拡大して示す斜視図、図４は図３に示す下皿部の分解斜視図、図５は図４に示すハンドルの分解斜視図、図６は図５に示す分解斜視図を左方から見た説明図、図７は本発明の一実施の形態である遊技機のハンドルを示す側面図、図８は図４に示す斜視図におけるハンドルの拡大図、図９は図８に示す操作部および操作部受部の拡大図、図１０は図８に示す操作部受部の拡大図、図１１は本発明の一実施の形態であるハンドルの本体部の内部構造を示す図、図１２は図１１に示す本体部に操作部受部が取り付けられた状態を示す図、図１３は図１２に示す操作部受部に、操作部が回動可能に支持された状態を示す図、図１４は図１３に示す操作部にプレートが取り付けられた状態を示す図、図１５は図１４に示すプレートに基板が取り付けられた状態を示す図、図１６は本実施の形態に係る操作部を後方から示す斜視図、図１７は図１６に示す操作部を操作部受部が支持する様子を示す斜視図、図１８は図９に示すＡ−Ａ線に沿った断面図、図１９は本発明の一実施の形態である遊技機のハンドルを斜め後方から示す斜視図、図２０は操作部受け部および操作部の側面を示す説明図、図２１は図１９に示すハンドルを側面から見た説明図、図２２は操作部受部の変形例を示す斜視図、図２３は図２２に示すＢ−Ｂ線に沿った断面図、図２４は図２３に示す操作部受部が操作部を支持する様子を示す説明図である。
【００２８】
図１および図２に示すように、パチンコ遊技機（遊技機）１は、遊技盤２が装着されるベースドア３ａがヒンジを介して島設備に固定される木製のベース枠３ｂに回動可能に取り付けられ（すなわち、ベースドア３ａは、ベースドア３ａの一方端を回動支点として支持されて当該ベース枠３ｂに開閉自在に装着される。）、これらベースドア３ａおよびベース枠３ｂで遊技機本体３が構成されている。そして、このような遊技機本体３のベースドア３ａに対して、スピーカ８ａ，８ｂ、液晶表示装置（ＬＣＤ）２１、遊技盤２を視認可能に被うガラス扉９、上皿部（球受皿）４、下皿部５、カバー６、ハンドル（発射操作手段）７０および灰皿７が備えられている。
【００２９】
遊技盤２は、図１に示すように、レール１１に包囲され、遊技球の流下が可能な遊技領域２ａを有している。そして、その遊技領域２ａには、多数の遊技くぎや風車などの障害物（図示せず）、一般入賞口１２、通過ゲート１３、大入賞口１５、アウト口１６、始動入賞口１４，１７を有する普通電動役物１８からなる遊技部材が配置されている。
【００３０】
ここで、一般入賞口１２は、遊技球が入賞すると所定の数の遊技球が払い戻される装置、通過ゲート１３は、遊技球が通過したことを契機として普通図柄表示領域に表示される複数の図柄を変動および停止させるための装置、始動入賞口１７は、遊技球が入賞したことを条件として特別図柄表示ＬＥＤ（図示せず）に表示される特別図柄を変動および停止させるための装置、大入賞口１５は、特別図柄表示ＬＥＤの停止時における特別図柄の組み合わせが予め設定された特定の図柄の組み合わせ（大当り表示態様）となって大当り遊技状態（大当り遊技状態とは、いわゆる大当りが発生した状態をいう。）に移行した場合に、所定の設定に従って所定条件の下所定回数だけ扉が開閉（すなわち、所定回数だけ大入賞口１５が、遊技球を受け入れ易い第１の状態と、受け入れ難い第２の状態とに変化する。なお、第１の状態と第２の状態とに変化する動作をラウンド動作という。）するように制御される装置である。
【００３１】
また、アウト口１６は、一般入賞口１２、始動入賞口１４，１７、大入賞口１５の何れにも入賞しなかった遊技球が流入して回収される装置である。
【００３２】
通過ゲート１３は、通過する遊技球を検出するようになっている。この通過ゲート１３を通過した遊技球は通過記憶情報として記憶されるようになっており、この通過記憶情報に基づいて、普通図柄表示領域における図柄の変動表示が行なわれる。また、遊技領域２ａの右側上部には、通過ゲート１３の通過記憶個数を表示する４個の普通図柄記憶ＬＥＤ（図示せず）が設けられている。この普通図柄記憶ＬＥＤの点灯個数により、通過ゲート１３を通過した遊技球の通過記憶個数を表示することができる。
【００３３】
普通図柄表示領域では、例えば２個の普通図柄が交互に点滅するようになっており、２個の普通図柄の点滅が終了して「当り」が表示された場合に、普通電動役物１８に設けられた始動入賞口１７が、所定時間だけ遊技球を受け入れ易い第１の状態に切り換わる。
【００３４】
なお、普通図柄表示領域の替わりに、遊技盤２の任意の場所に２個の普通図柄表示ＬＥＤを備え、このＬＥＤの点滅により「当り」を表示してもよい。また、この２個の普通図柄表示ＬＥＤを例えば７セグメント表示器等により構成することもできる。この場合には、７セグメント表示器に表示する普通図柄として、例えば「０」、「１」、「２」、・・・「７」、「８」、「９」等の数字を変動表示し、停止表示された数字が「３」あるいは「７」となった場合を「当り」とする。
【００３５】
始動入賞口１７は、遊技球を受け入れる受け入れ口を有しており、遊技球を受け入れ易い第１の状態と、遊技球を受け入れ難い第２の状態との間で切換可能な開閉機構を備えた装置である。この始動入賞口１７は、通常の状態では遊技球を受け入れ難い第２の状態となっており、所定の条件が成立した場合（例えば、普通図柄表示領域の普通図柄が、「当り」を意味する図柄で停止した場合）に、所定時間（例えば、０．３秒間）だけ開いて遊技球を受け入れ易い第１の状態に切り換えられる。なお、当該受け入れ口に遊技球が入賞すると所定の数の遊技球が払い戻される。
【００３６】
また、始動入賞口１４，１７への入賞球は入賞記憶可能となっており、この入賞記憶に基づいて、遊技盤２の所定位置に設けられた２つの特別図柄表示ＬＥＤにおける特別図柄の変動表示が行なわれる。遊技領域２ａの中央部には、始動入賞口１４，１７への入賞記憶個数を表示する４個の特別図柄記憶ＬＥＤ（図示せず）が設けられている。この特別図柄記憶ＬＥＤの点灯個数により、始動入賞口１４，１７への入賞記憶個数を表示することができる。
【００３７】
また、特別図柄表示ＬＥＤに表示される特別図柄の可変表示結果の種類として、特別大当り（確率変動大当り）となったことを示す特別表示態様、非特別大当り（通常大当り）となったことを示す非特別表示態様、はずれとなったことを示す非大当り態様の３種類が挙げられる。特別表示態様とは、２つの特別図柄表示ＬＥＤの双方が点灯される態様である。また、非特別表示態様とは、一方の特別図柄表示ＬＥＤが点灯されて、他方の特別図柄表示ＬＥＤが消灯される態様である。そして、非大当り表示態様とは、非特別表示態様のときに点灯した特別図柄表示ＬＥＤが消灯されて、非特別表示態様のときに消灯した特別図柄表示ＬＥＤが点灯される態様である。
【００３８】
なお、大当り遊技状態とは、例えば大入賞口ＳＯＬが、大入賞口１５の扉を所定回数だけ開閉することで、通常遊技状態よりも多くの遊技球を入賞させやすくする遊技状態のことである。
【００３９】
特別図柄の変動表示結果が特別表示態様となると（すなわち、確率変動大当りとなると）、大当り遊技状態終了後、特別図柄表示ＬＥＤにおける特別図柄の変動表示結果が大当り表示態様となる確率の高い特別遊技状態（確率変動状態）へ移行される。一方、特別図柄の表示態様が非特別表示態様となると（すなわち、通常の大当りとなると）、大当り遊技状態終了後は通常の遊技状態へ移行される。
【００４０】
なお、本実施の形態において、上述した入賞記憶個数や通過記憶個数は、それぞれ普通図柄記憶ＬＥＤ、特別図柄記憶ＬＥＤに表示されるようになっているが、これに限られず、他の表示方法により表示されてもよい。例えば、表示領域２１ａに表示されるようになっていてもよい。
【００４１】
また、遊技盤２の背面には、演出画像（例えば、遊技状態に対応したアニメーションやその他の報知情報など。以下、「演出情報画像」という。）等を表示可能な表示領域２１ａを備えた表示装置である液晶表示装置（ＬＣＤ）２１が配置されている。
【００４２】
液晶表示装置２１は、画像制御回路からの指示に基づいて任意の画像を表示領域２１ａに表示する。
【００４３】
なお、液晶表示装置２１の表示領域２１ａは、演出画像やその他の報知情報を表示する情報表示領域と、普通図柄の変動表示を行う普通図柄表示領域（普通図柄表示装置）と、装飾図柄（識別図柄）の変動表示を行う装飾図柄表示領域（可変表示装置）とからなっている。
【００４４】
本実施の形態において、装飾図柄は横方向に並ぶように配置された左図柄、中図柄、右図柄の３つの図柄からなり、それぞれ上から下に向かって回転するように変動表示される。但し、装飾図柄は３つの図柄ではなくてもよく、また変動表示の態様も、上下方向ではなく、横方向、あるいは前後方向などでもよい。
【００４５】
また、本実施の形態において、角形の形状をしている表示領域２１ａは、遊技領域２ａより大きくともよいし、小さくともよい。また、表示領域２１ａの形状は角形に限定されず、他の形状であってもよい。例えば、円形であってもよい。
【００４６】
また、遊技盤２が透明である本実施の形態では、液晶表示装置２１の表示領域２１ａが遊技盤２を通して視認可能に配置されている。また、液晶表示装置２１にかえて、例えばＣＲＴ（陰極線管）あるいはプラズマディスプレイ等を用いることもできる。
【００４７】
また、図１および図２に示すように、ガラス扉９および上皿部４は一体化して形成されており、この一体化された開閉扉（開閉体）は、その一端がベースドア３ａに回動可能に軸支され、他端がベースドア３ａに係合するようになっている。なお、ガラス扉９は、遊技盤２を視認可能に被うものである。
【００４８】
上皿部４は遊技盤２の下側に位置して湾曲するような形状で前方に突出して設けられており、払い出された遊技球が貯留するとともに図示しない発射装置へ遊技球を供給する上皿４ａを備えている。
【００４９】
上皿部４の所定の位置には、遊技終了時などにおいて上皿部４に貯留された遊技球を後述する下皿部５に移動させて取り出す場合に操作されるシャッタレバー１０、および球貸し操作パネル５５が設けられている。
【００５０】
ここで、球貸し操作パネル５５は、１回の押下操作毎に所定数の遊技球が貸し出される球貸しボタン５５ａ、および球貸し残高が記憶された球貸し媒体であるカードが返却される返却ボタン５５ｂを備えている。さらに、球貸し操作パネル５５は、球貸し可能な状態にあるときに点灯する球貸し可表示ＬＥＤ、球貸し残高を表示する度数表示装置（何れも図示せず）を備えている。
【００５１】
上皿部４の下側に位置する下皿部５は、ベースドア３ａに固定されたプレート５ｂを備えており、プレート５ｂは、前面側に、払い出しにより上皿４ａからオーバーフローした遊技球が貯留される下皿５ａ−１を有するとともに、当該下皿５ａ−１を前方から覆う下皿カバー体５ａが取り付けられている。
【００５２】
下皿カバー体５ａは左右に一体に延出されており、右側には灰皿７を取り付けるための灰皿取付部５ａ−２が、左側にはハンドル（発射操作手段）７０の本体部７０ａ（図４〜図７）に回動可能に取り付けられた操作部７０ｂを覆う半球状のハンドルカバー部５ａ−３が、それぞれ下皿カバー体５ａと一体形成されている。ハンドル７０の操作部７０ｂは、レール１１（図２）を介して遊技盤２の遊技領域２ａへ遊技球を打ち出す際に操作されるものであり、遊技者による操作部７０ｂの回動操作（回動角）に応じて発射装置の発射強度が調節される。なお、操作部７０ｂの近傍には、遊技球の発射を停止させるストップボタン７０ｃ（図１１〜図１５）が設けられている。
【００５３】
このように、本実施の形態の遊技機１は、従来の多くの遊技機とは異なり、ハンドル７０（の操作部７０ｂ）が向かって左側に、灰皿７が向かって右側に、つまり左右が反対に設けられている。但し、本発明では、ハンドルが右側に設けられた遊技機にも適用可能である。なお、ハンドル７０の詳細については後述する。
【００５４】
ガラス扉９の上側に位置するカバー６はベースドア３ａに固定されており、カバー６の左右には、ベースドア３ａに設けられる左右のスピーカ８ａ，８ｂにそれぞれ対応した多数のスリットが形成されており、スピーカ８ａ，８ｂからの音声が聞こえるような構造になっている。スピーカ８ａ，８ｂは、所定の音（例えば、遊技状態に対応した音楽やその他の報知情報など）を出力する機能を有している。
【００５５】
図１および図２に示すように、上皿部４の前面には、遊技者による操作が可能な操作ボタン５０が備えられている。この操作ボタン５０は、左図柄停止ボタン（以下、「左ボタン」という。）５０ａ、中図柄停止ボタン（以下、「中ボタン」という。）５０ｂおよび右図柄停止ボタン（以下、「右ボタン」という。）５０ｃの３つからなり、相互に水平方向に並設されている。そして、液晶表示装置２１にて可変表示中の図柄列のうち、左ボタン５０ａが押下されると左図柄が、中ボタン５０ｂが押下されると中図柄が、右ボタン５０ｃが押下されると右図柄が、それぞれ停止表示されるようになっている。
【００５６】
なお、前述のように、ハンドル７０の操作部７０ｂが向かって左側に設けられていることから、本実施の形態の遊技機１では、左手でハンドル操作を行いながら、右手は上皿部４の手前の縁に載置しておき、所望のタイミングで左ボタン５０ａ、中ボタン５０ｂおよび右ボタン５０ｃを押下することにより変動中の装飾図柄の停止操作を行う。
【００５７】
さて、図４〜図６に示すように、ハンドル７０は、プレート５ｂに取り付けられた本体部７０ａ、本体部７０ａと後述する操作部７０ｂとの間に設けられ、操作部７０ｂを回動可能に支持する操作部受部７０ｅ、および本体部７０ａに操作部受部７０ｅを介して回動可能に取り付けられた操作部７０ｂを有しており、前述したように、下皿カバー体５ａがプレート５ｂの前面に取り付けられることにより、下皿カバー体５ａを構成する半球状のハンドルカバー部５ａ−３が操作部７０ｂを覆う構成となっている。なお、操作部７０ｂは、その全体がハンドルカバー部５ａ−３で覆われているのではなく、外周部７０ｂ−２の略上半分は露出されており、それ以外の部分が覆われる構成となっている。また、ハンドルカバー部５ａ−３は、図４乃至図７に示すように、半球状のカバー体２０によって覆われる構成となっている。
【００５８】
ここで、ハンドル７０の構成要素には、ハンドル７０を形作っている下皿カバー体５ａの一部、つまり操作部７０ｂを覆うハンドルカバー部５ａ−３や、後述する載置部５ａ−４などを含めることができる。
【００５９】
本体部７０ａは略円形の蓋状を呈しており、その両側には取付片７０ｄ，７０ｄが一体形成されている。これらの取付片７０ｄ，７０ｄが、当該取付片７０ｄ，７０ｄに対応してハンドルカバー部５ａ−３に形成された取付溝（図示せず）と前後方向から嵌合することにより、本体部７０ａが下皿カバー体５ａに固定される。
【００６０】
本体部７０ａには、操作部受部７０ｅをネジ止め固定するためのネジ孔７０ａ−２１、７０ａ−２２が設けられている（図８、図１１参照）。そして、操作部受部７０ｅに形成されたネジ孔７０ｅ−２１，７０ｅ−２２（図８）をそれぞれ介して本体部７０ａにおけるネジ孔７０ａ−２１、７０ａ−２２にネジ７７ａを螺合することにより、操作部受部７０ｅを、本体部７０ａにネジ止めすることができる（図１２参照）。
【００６１】
操作部受部７０ｅは、略円形を呈しており、操作部７０ｂを支持する側の面である支持面７０ｅ−５に、当該操作部７０ｂを支持する円形状の円形面７０ｅ−１を有している（図８乃至図１０参照）。この円形面７０ｅ−１は、後述する軸孔７０ｅ−４の外周（換言すれば、後述する操作部７０ｂの回動軸Ｓ（図７）の外周）となる第１の周上に沿って突出した内側突出面７０ｅ−６、および当該第１の周の外周（内側突出面７０ｅ−６の外周）となる第２の周上に沿って突出した外側突出面７０ｅ−７から構成されている。
【００６２】
そして、上記内側突出面７０ｅ−６、および外側突出面７０ｅ−７の突出面には、半球状の部材である球状部材９０が相互に間隔を空けて設けられている（図８乃至図１０参照）。具体的には、内側突出面７０ｅ−６における各球状部材９０間には、それぞれ距離Ｅ（図１０）と同程度の間隔が空けられるようになっている一方、外側突出面７０ｅ−７における各球状部材９０間には、それぞれ距離Ｆ（図１０）と同程度の間隔が空けられるようになっている。ここで、距離Ｆは、距離Ｅと比べて相対的に長くなっている。なお、本実施の形態においては、内側突出面７０ｅ−６および外側突出面７０ｅ−７にそれぞれ６つの球状部材９０が設けられているが、本発明では、球状部材９０の数を特に限定しない。また、本実施の形態において、内側突出面７０ｅ−６や外側突出面７０ｅ−７における球状部材９０は、球状部材９０間の間隔が等間隔となるように配置されていたが、これに限られず、当該間隔が異なるように配置されていてもよい。
【００６３】
操作部受部７０ｅは、この球状部材９０を介して操作部７０ｂを回動可能に支持するようになっており、操作部７０ｂの回動操作時には、当該操作部７０ｂの裏面７０ｂ−９に球状部材９０が摺接する（図１８（ｂ）参照。図１８は、図９に示すＡ−Ａ線に沿った断面図である）。ここで、本実施の形態において、操作部７０ｂの裏面７０ｂ−９のうち、操作部受部７０ｅの内側突出面７０ｅ−６上に設けられた球状部材９０が摺接する面上を第１の周といい、操作部受部７０ｅの外側突出面７０ｅ−７上に設けられた球状部材９０が摺接する面上を第２の周という。なお、本発明における球状部材９０は、操作部７０ｂの回動操作時に限られず、常に操作部７０ｂの裏面７０ｂ−９に摺接するようになっていてもよい。
【００６４】
つまり、本実施の形態における操作部７０ｂは、球状部材９０を介して操作部受部７０ｅに支持されるようになっているので、当該操作部７０ｂを操作部受部７０ｅにて直に支持する従来の技術に比べて、操作部７０ｂが他の部材に接触する面積を小さくすることができる。
【００６５】
この場合、操作部７０ｂが回動（図９および図１２に示す矢印Ｘ方向もしくは矢印Ｙ方向に回動）する際に発生する静止摩擦を小さくすることができるので、当該操作部７０ｂの回動操作をより円滑にすることが可能となる。
【００６６】
また、操作部７０ｂが球状部材９０を介して操作部受部７０ｅに回動可能に支持される本発明によれば、操作部７０ｂが角ばっている部材を介して操作部受部７０ｅに支持される場合に比べて、操作部７０ｂの回動操作を円滑にすることができる。
【００６７】
ここで、内側突出面７０ｅ−６や外側突出面７０ｅ−７における突出面の幅は、その位置に応じて異なるようになっている。例えば、図１０に示す外側突出面７０ｅ−７は、左側に形成された突出面に比べて、右側に形成された突出面の方が幅が広くなっている。そして、内側突出面７０ｅ−６，外側突出面７０ｅ−７に設けられる球状部材９０の幅は、当該内側突出面７０ｅ−６，外側突出面７０ｅ−７における突出面の幅の広さに応じて変化するようになっている。具体的には、突出面の幅が広い場所ほど、幅の広い球状部材９０が配置される（但し、球状部材９０の高さは、配置位置に拘わらず同一である）。但し、本発明はこれに限られず、球状部材９０の幅は、その配置位置に拘わらず同一であってもよい。
【００６８】
また、本実施の形態における球状部材９０は合成樹脂等で構成されているが、本発明では当該球状部材９０の材質を特に限定しない。例えば、球状部材９０は、アルミニウムや銅等の金属で構成されていてもよい。
【００６９】
さらに、操作部受部７０ｅの外周における本体部側凹室空間７０ａ−５（図１１、図１９）と対向する位置には、当該本体部側凹室空間７０ａ−５への遊技球Ｂの収容を容易にするための切り欠きである操作部受部側凹室空間７０ｅ−１０（図８〜図１０、図１２）が形成されている。
【００７０】
また、本体部７０ａの中心には、操作部７０ｂの回動角を検出するためのボリューム７１（図１１）が取り付けられる孔である軸孔７０ａ−４が形成されている。そして、本実施の形態においては、この軸孔７０ａ−４に、上記ボリューム７１が、その回動軸７１ａを本体部７０ａの中心に一致させるようにして取り付けられている。
【００７１】
そして、操作部７０ｂには、上述したボリューム７１における突起部材７５（後述）と嵌合する突起嵌合部７０ｂ−８（図１６）が裏面７０ｂ−９の中央に形成され、さらに外周部７０ｂ−２が本体部７０ａの先端および操作部受部７０ｅを覆うように屈曲して、その内壁に本体部７０ａの外周に近接する突起片７０ｂ−３が所定の間隔をあけて複数形成されている（図１６、図１７参照）。したがって、操作部７０ｂは、突起嵌合部７０ｂ−８および突起片７０ｂ−３にガイドされて、略円形蓋状の本体部７０ａの外周に沿うようにして回動可能に取り付けられる。
【００７２】
なお、操作部７０ｂの外周部７０ｂ−２の複数箇所（本実施の形態では２箇所）には、突起部７０ｂ−４が形成されており、遊技者の指を突起部７０ｂ−４に係合させることにより、操作部７０ｂを容易に回動操作できるよう配慮されている。
【００７３】
ここで、図７に示すように、操作部７０ｂの回動軸Ｓの角度θ（すなわち、回動軸Ｓと水平面とでなす角度θ）は、遊技者に向けて約３０°上方に傾斜して設けられている。つまり、前述したボリューム７１は、その回動軸７１ａが遊技者に向けて約３０°上方に傾斜して本体部７０ａおよび操作部受部７０ｅに取り付けられており、操作部７０ｂの回動軸Ｓが当該回動軸７１ａと同軸上に配置されて本体部７０ａに取り付けられることにより、操作部７０ｂの回動軸Ｓもまた、遊技者に向けて約３０°上方に傾斜して設けられる。
【００７４】
そして、このように操作部７０ｂの回動軸Ｓを遊技者に向けて上方に傾斜させることで、操作部７０ｂを保持する遊技者の手首の角度が回動軸Ｓを傾斜させていない場合（つまり、水平面上に配置した場合）に比べて緩やかになるので、操作部７０ｂを把持している手首にかかる負担が軽減されて操作性が向上する。
【００７５】
なお、操作部７０ｂの回動軸Ｓは遊技者に向けて上方に傾斜して設けられていればよく、角度θは本実施の形態に示す３０°に限定されるものではない。また、操作部７０ｂの回動軸Ｓとボリューム７１の回動軸７１ａとは相互に同軸上に配置されている必要はない。
【００７６】
図３乃至図７に示すように、ハンドル７０には、半球状のハンドルカバー部５ａ−３の前方から側方にかけて略水平面をなすように形成され、遊技者が操作部７０ｂに手を掛けた際に手の載置が可能な載置部５ａ−４が設けられている。この載置部５ａ−４は、下皿カバー体５ａに形成されている。
【００７７】
このような載置部５ａ−４が設けられていれば、遊技者は、ハンドル操作を行うときに、載置部５ａ−４上の手首を支軸として操作部７０ｂを回動操作することが可能になる。これにより、腕を支える力を軽減することができて腕や指先に余計な力がかからないので、ハンドル操作における疲労がより軽減される。
【００７８】
次に、ハンドル７０の内部構造について説明する。
【００７９】
図１１に示すように、ハンドル７０の円形蓋状の本体部７０ａには、前述のように、ボリューム７１が、その回動軸７１ａを本体部７０ａの中心に一致させるようにして取り付けられている。ボリュームの回動軸７１ａは、本体部７０ａに固定された図示しない支持板に軸受７４を介して支持され、当該支持板を貫通して前方へ突出しており、その先端には、突起部材７５が取り付けられている。
【００８０】
また、本体部７０ａには、通常時では発射装置への給電経路を導通し、スイッチ板７６ａが変位すると当該経路を遮断するスイッチ７６が配置されている。さらに、前述したストップボタン７０ｃは、本体部７０ａに揺動自在に取り付けられて一部が本体部７０ａの側方から突出しており、本体部７０ａからの突出部分を操作してこれを揺動させたときに、突出部分とは反対側がスイッチ板７６ａに当接するようになっている。したがって、遊技者がストップボタン７０ｃを操作してスイッチ板７６ａを変位させると、発射装置への給電経路が遮断されて遊技球の発射が停止される。
【００８１】
さらに、操作部受部７０ｅには、２つのボス７０ｅ−８１，７０ｅ−８２が立設されており、それぞれのボス７０ｅ−８１，７０ｅ−８２にはネジ７７−１，７７−２が螺合される。なお、ネジ７７−１，７７−２の頭部と７０ｅ−８１，７０ｅ−８２の先端とは間隔があけられている。
【００８２】
図８および図９に示すように、操作部７０ｂには、回動軸Ｓを中心とした円弧状の２つの長孔７０ｂ−６１，７０ｂ−６２、および前方に突出した係止爪７０ｂ−７が形成されている。そして、前述した２つのボス７０ｅ−８１，７０ｅ−８２にそれぞれ螺合された２つのネジ７７−１，７７−２は、対応する２つの長孔７０ｂ−６１，７０ｂ−６２からそれぞれ突出している（図１３参照）。したがって、操作部７０ｂは、当該操作部７０ｂを一方向に回動させたときに後述する突起７０ｅ−９が当接する円弧状の長孔７０ｂ−６１の一方端と、他方向に回動させたときにネジ７７−１に当接する長孔７０ｂ−６１の他方端との間を回動可能な範囲として、本体部７０ａの外周に沿うように回動する。
【００８３】
ここで、操作部７０ｂの裏面７０ｂ−９における左側には、操作部受部７０ｅ方向に突出した突起７０ｂ−１０（図１６、図１７）が設けられている。この突起７０ｂ−１０は、操作部７０ｂが操作部受部７０ｅに支持される際に、当該操作部受部７０ｅに軸孔７０ｅ−４を中心として形成された円弧状の長孔７０ｅ−１１、から突出するようになっている（図１７参照）。そして、操作部７０ｂが上述したように回動する際には、当該回動に応じて、突起７０ｂ−１０の位置が長孔７０ｅ−１１の範囲内で変化する。
【００８４】
このような範囲で回動する操作部７０ｂの回動軸Ｓから偏心する位置には、操作部受部７０ｅの中心に形成された軸孔７０ｅ−４（図８乃至図１２）を介して、ボリュームの回動軸７１ａの先端に取り付けられた突起部材７５と嵌合する突起嵌合部７０ｂ−８（図１６，図１７）が形成されている。これにより、操作部７０ｂの回転量が突起嵌合部７０ｂ−８を介して突起部材７５からボリューム７１に伝達されて、当該操作部７０ｂの回動角が検出される。このようにボリューム７１によって検出された角度に応じて発射装置の発射強度が調節される。
【００８５】
なお、本実施の形態では、ボリューム７１と操作部７０ｂとが突起部材７５および突起嵌合部７０ｂ−８を介して接続されているが、突起部材を介さない構成、すなわちボリューム７１の回動軸７１ａと操作部７０ｂとが直結する構成でもよいし、ボリューム７１の回動軸７１ａと操作部７０ｂとがギアを介して接続される構成でもよい。
【００８６】
また、操作部７０ｂの前面には、上述したように前方に突出した係止爪７０ｂ−７が形成されている（図８，図９参照）。そして、前述した操作部受部７０ｅに形成された突起７０ｅ−９は、対応する長孔７０ｂ−６１から突出している（図１３参照）。また、操作部受部７０ｅにおける突起７０ｅ−９と操作部７０ｂに形成された係止爪７０ｂ−７には、反時計回りに付勢するねじりバネ７９の一端がそれぞれ巻きつけられる（図１３参照）。すなわち、突起７０ｅ−９から係止爪７０ｂ−７にかけては、ねじりバネ７９が掛け渡されている。
【００８７】
したがって、遊技者が操作部７０ｂを操作していないときには、当該ねじりバネ７９のばね力により、前述した操作部７０ｂの長孔７０ｂ−６１の一方端が突起７０ｅ−９に当接する位置となっている。そして、遊技者が操作部７０ｂを操作すると、操作部７０ｂは、その長孔７０ｂ−６１の他方端がネジ７７−１に当接する位置（長孔７０ｂ−６２の一端がネジ７７−２に当接する位置）を最大回動角としてばね力に抗して時計回りに回動され、これにより、所定の発射強度で遊技球が打ち出される。
【００８８】
図１４に示すように、操作部７０ｂの前面には、プレート７８（図４乃至図８）が前述したネジ７７−１，７７−２に固定されて取り付けられている。具体的には、プレート７８における２つのボス孔７８−１，７８−２、および操作部７０ｂにおける２つの長孔７０ｂ−６１，７０ｂ−６２をそれぞれ介して、操作部受部７０ｅにおける２つのボス７０ｅ−８１，７０ｅ−８２に上述したネジ７７−１，７７−２を螺合するとともに、操作部７０ｂにおける長孔７０ｂ−６１を介して、操作部受部７０ｅにおける突起７０ｅ−９をプレート７８における嵌合孔７８−３に嵌合することにより、プレート７８が、操作部７０ｂの前面に固定される。
【００８９】
また、プレート７８には、基板７８ｃを搭載する係止爪７８ｄ，７８ｅが対向配置されている。基板７８ｃは、当該係止爪７８ｄ，７８ｅに係止されることにより、プレート７８に取り付けられる（図１５参照）。
【００９０】
図１９および図２１に詳しく示すように、操作部７０ｂの裏面の所定位置（本実施の形態では、操作部７０ｂの外周部７０ｂ−２に形成された突起部７０ｂ−４の裏面位置）には、操作部側凹室空間７０ｂ−５が形成されている。また、本体部７０ａの外周における操作部７０ｂの内周に臨む位置には、本体部側凹室空間７０ａ−５が形成されている。
【００９１】
前述のように操作部７０ｂは本体部７０ａに回動可能に取り付けられていることから、操作部側凹室空間７０ｂ−５は操作部７０ｂの回動に従ってその位置が変動する。これに対して、本体部７０ａに形成された本体部側凹室空間７０ａ−５の位置は固定的である。したがって、操作部７０ｂを回動すれば、所定の回動角になったときに、操作部側凹室空間７０ｂ−５と本体部側凹室空間７０ａ−５とが相互に対向することになる。
【００９２】
そして、図示するように、操作部側凹室空間７０ｂ−５と本体部側凹室空間７０ａ−５とが相互に対向する位置となったときに、遊技球Ｂがこれらの凹室空間７０ａ−５，７０ｂ−５に跨って収容固定可能となっている。
【００９３】
このように、遊技球Ｂを操作部側凹室空間７０ｂ−５と本体部側凹室空間７０ａ−５とに跨って収容固定することで、操作部７０ｂを所定の回動位置で固定できる。したがって、手の力により操作部７０ｂを所望の発射強度の回動位置で保持しておく必要がなくなり、長時間の操作による疲労をさらに軽減することができる。
【００９４】
なお、このような操作部７０ｂを固定するための凹室空間７０ａ−５，７０ｂ−５は設けられていなくてもよい。また、以上の説明では、凹室空間７０ａ−５，７０ｂ−５に遊技球Ｂを収容固定するようになっていたが、コイン等、他の種々の部材を収容固定するようになっていてもよい。
【００９５】
本発明においては、図１８に示すように、操作部７０ｂが球状部材９０を介して操作部受部７０ｅに支持されるようになっているので、操作部７０ｂと操作部受部７０ｅとの間に、隙間Ｃ（図２０参照。なお、隙間Ｃは、球状部材９０の高さと同程度である）が発生する。これによれば、操作部７０ｂを操作部受部７０ｅにて支持した場合であっても、当該操作部７０ｂと操作部受部７０ｅとを、隙間Ｃの分だけ離間させることができるので、当該操作部７０ｂが操作部受部７０ｅに直に支持されている従来の技術に比べて、遊技球Ｂを上記凹室空間に跨って収容固定された場合に発生する操作部７０ｂの歪みを軽減させることができる。具体的には、図２１に示すＡ方向へ向けての操作部７０ｂの歪みを軽減させることができる。
【００９６】
これによれば、操作部７０ｂを所定の回動位置で固定する際における当該操作部７０ｂの負担を軽減することができ、操作部７０ｂの耐久性を高めることができる。
【００９７】
以上、本発明の実施の形態を説明したが、これは本発明を具体的に例示したに過ぎず、特に本発明を限定するものではない。
【００９８】
例えば、本実施の形態では、操作部受部７０ｅに球状部材９０が設けられている例を説明したが、これに限られず、球状部材９０は、操作部７０ｂの裏面７０ｂ−９側に設けられるようになっていてもよい。この場合、球状部材９０は、操作部受部７０ｅに摺接することとなる。また、球状部材９０は、単に操作部受部７０ｅと操作部７０ｂとの間に設けられているだけでもよい。この場合、球状部材９０は、操作部受部７０ｅおよび操作部７０ｂに摺接することとなる。
【００９９】
また、球状部材は、操作部７０ｂの回動操作に応じて回転する回転体であってもよい。つまり、本発明においては、操作部受部がボールベアリング構造となっていてもよい。
【０１００】
以下、操作部受部がボールベアリング構造となる例について、図２２乃至図２４を用いて説明する。
【０１０１】
図２２に示すように、操作部受部１００ｅにおける外側突出面７０ｅ−７の突出面には、６つの陥没穴１０１が相互に間隔を空けて設けられている。また、各陥没穴１０１には、球状の部材である球状部材９１が、その一部を陥没穴１０１から突出させた状態で収容される（図２２、図２３参照。図２３は、図２２（ｂ）に示すＢ−Ｂ線に沿った断面図である）。そして、陥没穴１０１に球状部材９１が収容された外側突出面７０ｅ−７の突出面には、当該突出面の形状に沿って形成されたカバー体１０２が取り付けられる。このカバー体１０２には、陥没穴１０１に収容された球状部材９１の一部を突出させるための貫通孔１０２ａが形成されているため、当該カバー体１０２が外側突出面７０ｅ−７に取り付けられると、陥没穴１０１に収容された球状部材９１の一部が上記貫通孔１０２ａから突出する（図２２、図２３参照）。
【０１０２】
このような構成の操作部受部１００ｅは、この球状部材９１を介して操作部７０ｂを回動可能に支持するようになっており、操作部７０ｂの回動操作時には、当該操作部７０ｂの裏面７０ｂ−９に、球状部材９１における貫通孔１０２ａから突出した部分が摺接する（図２４参照）。
【０１０３】
このような構成の操作部受部１００ｅによれば、操作部７０ｂが回動すると、これに応じて球状部材９１が回転するようになる。例えば、操作部７０ｂが、図２４に示す矢印Ｘ方向に回動すると、球状部材９１が、当該矢印Ｘの方向に回転する。
【０１０４】
この場合、操作部７０ｂが回動する際に発生する静止摩擦をより小さくすることが可能となるので、操作部７０ｂの回動操作のさらなる円滑化を図ることが可能となる。
【０１０５】
なお、図２２乃至図２４では、外側突出面７０ｅ−７がボールベアリングの構造となっている例を示したが、これに限られず、内側突出面７０ｅ−６が当該ボールベアリングの構造となっていてももちろんよい。
【０１０６】
以上説明したように、本実施の形態における操作部７０ｂは、球状部材９０を介して操作部受部７０ｅに支持されるようになっているので、当該操作部７０ｂを操作部受部７０ｅにて直に支持する従来の技術に比べて、操作部７０ｂが他の部材に接触する面積を小さくすることができる。
【０１０７】
この場合、操作部７０ｂが回動する際に発生する静止摩擦を小さくすることができるので、当該操作部７０ｂの回動操作をより円滑にすることが可能となる。
【０１０８】
上述した本発明によれば、操作部７０ｂの回動操作の円滑化を図ることができ、発射操作手段の操作性を高めることが可能となる。
【０１０９】
また、操作部７０ｂが球状部材９０を介して操作部受部７０ｅに回動可能に支持される本発明によれば、操作部７０ｂが角ばっている部材を介して操作部受部７０ｅに支持される場合に比べて、操作部７０ｂの回動操作を円滑にすることができる。
【０１１０】
また、本実施の形態における操作部７０ｂは、複数の球状部材９０を介して操作部受部７０ｅに支持されるようになるので、操作部７０ｂの傾きを防止することができる。これによれば、操作部７０ｂの回動操作の安定化を図ることでき、ハンドル（発射操作手段）７０の操作性をより高めることが可能となる。
【０１１１】
さらに、本実施の形態では、複数の球状部材９０が、操作部７０ｂの回動軸Ｓの外周となる第１の周上、および当該第１の周の外周となる第２の周上にそれぞれ摺接するようになっている。つまり、球状部材９０は、複数の周上に摺接するようになるので、当該操作部７０ｂの傾きをより確実に防止することができる。これによれば、操作部７０ｂの回動操作のさらなる安定化を図ることでき、ハンドル７０の操作性をより高めることが可能となる。
【産業上の利用可能性】
【０１１２】
以上の説明においては、本発明をパチンコ遊技機を適用した場合が説明されているが、本発明はパチンコ遊技機に限定されるものではなく、たとえばスマートボールや雀球など遊技媒体として遊技球が用いられる様々な遊技機に適用することが可能である。
【図面の簡単な説明】
【０１１３】
【図１】本発明の一実施の形態である遊技機を示す正面図である。
【図２】本発明の一実施の形態である遊技機を示す斜視図である。
【図３】本発明の一実施の形態である下皿部を拡大して示す斜視図である。
【図４】図３に示す下皿部の分解斜視図である。
【図５】図４に示すハンドルの分解斜視図である。
【図６】図５に示す分解斜視図を左方から見た説明図である。
【図７】本発明の一実施の形態である遊技機のハンドルを示す側面図である。
【図８】図４に示す斜視図におけるハンドルの拡大図である。
【図９】図８に示す操作部および操作部受部の拡大図である。
【図１０】図８に示す操作部受部の拡大図である。
【図１１】本発明の一実施の形態であるハンドルの本体部の内部構造を示す図である。
【図１２】図１１に示す本体部に操作部受部が取り付けられた状態を示す図である。
【図１３】図１２に示す操作部受部に、操作部が回動可能に支持された状態を示す図である。
【図１４】図１３に示す操作部にプレートが取り付けられた状態を示す図である。
【図１５】図１４に示すプレートに基板が取り付けられた状態を示す図である。
【図１６】本実施の形態に係る操作部を後方から示す斜視図である。
【図１７】図１６に示す操作部を操作部受部が支持する様子を示す斜視図である。
【図１８】図９に示すＡ−Ａ線に沿った断面図である。
【図１９】本発明の一実施の形態である遊技機のハンドルを斜め後方から示す斜視図である。
【図２０】操作部受け部および操作部の側面を示す説明図である。
【図２１】図１９に示すハンドルを側面から見た説明図である。
【図２２】操作部受部の変形例を示す斜視図である。
【図２３】図２２に示すＢ−Ｂ線に沿った断面図である。
【図２４】図１５に示す操作部受部が操作部を支持する様子を示す説明図である。
【符号の説明】
【０１１４】
１  パチンコ遊技機（遊技機）
２  遊技盤
２ａ  遊技領域
３  遊技機本体
３ａ  ベースドア
３ｂ  ベース枠
４  上皿部
４ａ  上皿
５  下皿部
５ａ  下皿カバー体
５ａ−１  下皿
５ａ−２  灰皿取付部
５ａ−３  ハンドルカバー部
５ａ−４  載置部
５ｂ  プレート
２０  カバー体
７０  ハンドル（発射操作手段）
７０ａ  本体部
７０ａ−２１，７０ａ−２２  ネジ孔
７０ａ−４  軸孔
７０ａ−５  本体部側凹室空間
７０ｂ  操作部（操作レバー）
７０ｂ−２  外周部
７０ｂ−３  突起片
７０ｂ−４  突起部
７０ｂ−５  操作部側凹室空間
７０ｂ−６１，７０ｂ−６２  長孔
７０ｂ−７  係止爪
７０ｂ−８  突起嵌合部
７０ｂ−９  裏面
７０ｂ−１０  突起
７０ｃ  ストップボタン
７０ｄ  取付片
７０ｅ，１００ｅ  操作部受部
７０ｅ−２１，７０ｅ−２２  ネジ孔
７０ｅ−４  軸孔
７０ｅ−５  支持面
７０ｅ−６  内側突出面
７０ｅ−７  外側突出面
７０ｅ−８１，７０ｅ−８２  ボス
７０ｅ−９  突起
７０ｅ−１０  操作部受部側凹室空間
７０ｅ−１１  長孔
７１  ボリューム
７１ａ  回動軸
７４  軸受
７５  突起部材
７６  スイッチ
７６ａ  スイッチ板
７７−１，７７−２，７７ａ  ネジ
７８  プレート
７８−１，７８−２  ボス孔
７８−３  嵌合孔
７８ｃ  基板
７８ｄ，７８ｅ  係止爪
７９  ねじりバネ
９０，９１  球状部材
１０１  陥没穴
１０２  カバー体
１０２ａ  貫通孔
Ｂ  遊技球
Ｓ  回動軸
【図１】
0005441281.tif 000002
【図２】
0005441281.tif 000003
【図３】
0005441281.tif 000004
【図４】
0005441281.tif 000005
【図５】
0005441281.tif 000006
【図６】
0005441281.tif 000007
【図７】
0005441281.tif 000008
【図８】
0005441281.tif 000009
【図９】
0005441281.tif 000010
【図１０】
0005441281.tif 000011
【図１１】
0005441281.tif 000012
【図１２】
0005441281.tif 000013
【図１３】
0005441281.tif 000014
【図１４】
0005441281.tif 000015
【図１５】
0005441281.tif 000016
【図１６】
0005441281.tif 000017
【図１７】
0005441281.tif 000018
【図１８】
0005441281.tif 000019
【図１９】
0005441281.tif 000020
【図２０】
0005441281.tif 000021
【図２１】
0005441281.tif 000022
【図２２】
0005441281.tif 000023
【図２３】
0005441281.tif 000024
【図２４】
0005441281.tif 000025